(57)【要約】      （修正有）【課題】歯磨きに慣れていないペットが使用することによって歯磨きをすることが好きになるような歯ブラシを提供する。【解決手段】歯ブラシ１は、ブラシ本体と、ブラシ本体に設けられた毛束５と、食物２０を保持するようにブラシ本体に形成された食物保持部とを有する。食物保持部が、１つ又は複数の凹部６又は貫通孔であってもよい。食物保持部が、毛束５の設けられたブラシ本体の部分の反対側の部分に形成されていてもよい。【選択図】図１
2020089437.tif 000002
【特許請求の範囲】
【請求項１】
ブラシ本体と、前記ブラシ本体に設けられた毛束と、食物を保持するように前記ブラシ本体に形成された食物保持部とを有することを特徴とする歯ブラシ。
【請求項２】
前記食物保持部が、１つ又は複数の凹部又は貫通孔である請求項１に記載の歯ブラシ。
【請求項３】
前記食物保持部が、前記毛束の設けられた前記ブラシ本体の部分の反対側の部分に形成されている請求項１又は２に記載の歯ブラシ。
【請求項４】
前記ブラシ本体がハンドル部を有し、前記食物保持部が前記ハンドル部に形成されている請求項１又は２に記載の歯ブラシ。
【発明の詳細な説明】
【技術分野】
【０００１】
本発明は、歯ブラシに関する。
【背景技術】
【０００２】
犬や猫等のペットの歯垢を除去し、歯石の発生及び歯周病を予防するためのペット用の歯ブラシが公知である（特許文献１）。
【先行技術文献】
【特許文献】
【０００３】
【特許文献１】特開２０１２−２３１９８６号公報
【発明の概要】
【発明が解決しようとする課題】
【０００４】
歯磨きをするためには、口を開けた状態で異物である歯ブラシを口腔内に差し込まなければならないため、歯磨きに慣れていないペットは、歯磨きをされることを嫌がる傾向にある。歯磨きを好きになるようにするため、例えば、においや味の付いたジェルやペーストを歯磨剤として使用する商品が市販されている。特にペット用の歯磨剤は、人間用に比べて高い価格で販売されている。そのため、歯磨剤を購入しても、歯磨剤のにおいや味をペットが気に入らないとその効果が薄れてしまうことから、別の味の歯磨剤を購入しなければならない。
【０００５】
本発明は、使用することによって歯磨きをすることが好きになるような歯ブラシを提供することを目的とする。
【課題を解決するための手段】
【０００６】
本発明の一態様によれば、ブラシ本体と、前記ブラシ本体に設けられた毛束と、食物を保持するように前記ブラシ本体に形成された食物保持部とを有することを特徴とする歯ブラシが提供される。
【０００７】
前記食物保持部が、１つ又は複数の凹部又は貫通孔であってもよい。前記食物保持部が、前記毛束の設けられた前記ブラシ本体の部分の反対側の部分に形成されていてもよい。前記ブラシ本体がハンドル部を有し、前記食物保持部が前記ハンドル部に形成されていてもよい。
【発明の効果】
【０００８】
本発明の態様によれば、使用することによって歯磨きをすることが好きになるような歯ブラシを提供するという共通の効果を奏する。
【図面の簡単な説明】
【０００９】
【図１】図１は、本発明の第１実施形態による歯ブラシの部分斜視図である。
【図２】図２は、図１の歯ブラシの縦断面図である。
【図３】図３は、本発明の第２実施形態による歯ブラシの部分斜視図である。
【図４】図４は、図３の歯ブラシの縦断面図である。
【図５】図５は、本発明の第３実施形態による歯ブラシの部分斜視図である。
【図６】図６は、本発明の第４実施形態による歯ブラシの部分斜視図である。
【図７】図７は、本発明の第５実施形態による歯ブラシの斜視図である。
【図８】図８は、図７の歯ブラシの縦断面図である。
【図９】図９は、本発明の第６実施形態による歯ブラシの縦断面図である。
【発明を実施するための形態】
【００１０】
以下、図面を参照しながら本発明の実施の形態を詳細に説明する。全図面に渡り、対応する構成要素には共通の参照符号を付す。
【００１１】
図１は、本発明の第１実施形態による歯ブラシ１の部分斜視図であり、図２は、図１の歯ブラシ１の縦断面図である。図１（Ａ）及び図２（Ａ）は、食物２０が配置されていない状態を示し、図１（Ｂ）及び図２（Ｂ）は、食物２０が配置されている状態を示している。
【００１２】
歯ブラシ１は、使用者が把持するためのハンドル部２と、ネック部３を介してハンドル部２に対して接続されたヘッド部４と、ヘッド部４に設けられた毛束５とを有している。ネック部３は、ハンドル部２に比べて幅が狭く形成されているが、ネック部３を有していなくてもよい。ハンドル部２とネック部３とヘッド部４とは、ブラシ本体を構成する。
【００１３】
図１（Ａ）及び図２（Ａ）に示されるように、毛束５とは反対側のヘッド部４の表面には、食物２０を保持するように形成された食物保持部として、１つの略半球状の凹部６が形成されている。図１（Ｂ）及び図２（Ｂ）に示されるように、食物２０は、歯ブラシ１の凹部６に配置される。
【００１４】
歯ブラシ１を犬や猫等のペットに使用する場合、食物２０として、普段ペットに与えている食物やペットの好物のおやつを用いることが好ましい。食物２０は、具体的にはペットフード、芋類や肉類、チーズ、ガム等である。特に、粘着性があり且つペースト状の食物２０は、凹部に配置しても外れ難いため好ましい。食物２０は、単なる香料や甘味料であってもよい。
【００１５】
歯ブラシ１を用いてペットに歯磨きをする方法について説明する。まず、食物２０を歯ブラシ１の凹部６に配置する。次いで、歯磨きを開始する前に、食物２０を備えた歯ブラシ１をペットに見せる。その結果、歯ブラシ１に対するペットの抵抗感が緩和される。次いで、ペットの口を開けて、歯ブラシ１を用いて歯磨きを行う。このとき、毛束５によって歯が磨かれると同時に、ペットは、凹部６に配置された食物２０を味わうことやにおいを嗅ぐことができる。その結果、歯磨きという行為に対するペットの抵抗感が緩和される。こうした歯磨きを繰り返すことによって、ペットは、歯磨きをすることによって食物２０を味わうことやにおいを嗅ぐができると認識するようになる。したがって、ペットは、歯ブラシ１を使用することによって、歯磨きに早く慣れるようになり、さらには歯磨きを好きになるようになる。さらに、食物２０として、普段ペットに与えている食物やペットの好物のおやつを用いていることから、味の付いたジェルやペースト等に比べて非常に安価である。なお、歯磨きに慣れた後には、歯ブラシ１を、食物２０を配置することなく、普通の歯ブラシとして使用してもよい。
【００１６】
歯磨きをより容易にすることができるように、上述した歯磨きする方法よりも前の段階を踏んでもよい。すなわち、食物２０を取り付けた歯ブラシ１をペットに与え、ペットが自発的に歯ブラシ１を噛んだり舐めたりして遊ぶような、玩具として歯ブラシ１を使用してもよい。それによって、ペットが歯ブラシ１を好きになるようになる。また、歯磨きをする前のトレーニングとして、食物２０を取り付けた歯ブラシ１を用いて、ペットの口に入れて出すという行為を繰り返すように使用してもよい。それによって、歯ブラシ１を口に入れることに対するペットの抵抗感が徐々に緩和される。
【００１７】
図３は、本発明の第２実施形態による歯ブラシ１の部分斜視図であり、図４は、図３の歯ブラシ１の縦断面図である。図３（Ａ）及び図４（Ａ）は、食物２０が配置されていない状態を示し、図３（Ｂ）及び図４（Ｂ）は、食物２０が配置されている状態を示している。第１実施形態による歯ブラシ１は、ヘッド部４が円柱状であったため、凹部６は１つであった。他方、第２実施形態による歯ブラシ１のヘッド部４は、細長く形成されている。毛束５とは反対側のヘッド部４の表面には、食物保持部として、ヘッド部４の長さ方向に整列した３つの略半球状の凹部７が形成されている。すなわち、ヘッド部４の形状に応じて、１つ又は複数の凹部を形成することができる。複数の凹部を形成することによって、保持する食物２０の量を増やせると共に、各凹部に異なる食物を配置することができる。
【００１８】
図５は、本発明の第３実施形態による歯ブラシ１の部分斜視図である。図５（Ａ）は、食物２０が配置されていない状態を示し、図５（Ｂ）は、食物２０が配置されている状態を示している。第３実施形態による歯ブラシ１のヘッド部４は、第２実施形態による歯ブラシ１のヘッド部４と同様に、細長く形成されている。毛束５とは反対側のヘッド部４の表面には、食物保持部として、ヘッド部４の長さ方向に整列し且つ幅方向に亘る３つの溝状の凹部８が形成されている。凹部を溝状にすることによって、凹部を半球状にした場合に比べて、保持する食物２０の量を増やせると共に、各凹部に異なる食物を配置することができる。
【００１９】
図６は、本発明の第４実施形態による歯ブラシ１の部分斜視図である。図６（Ａ）は、食物２０が配置されていない状態を示し、図６（Ｂ）は、食物２０が配置されている状態を示している。第４実施形態による歯ブラシ１のヘッド部４は、第２実施形態による歯ブラシ１のヘッド部４と同様に、細長く形成されている。毛束５とは反対側のヘッド部４の表面には、食物保持部として、ヘッド部４の表面に亘る１つの大きな凹部９が形成されている。食物保持部を１つの大きな凹部とすることによって、大きな塊となっているような食物２０を配置することができる。また、凹部９をスプーンのように使用することによって、食物２０を配置することもできる。
【００２０】
図７は、本発明の第５実施形態による歯ブラシ１の斜視図であり、図８は、図７の歯ブラシ１の縦断面図である。図７（Ａ）及び図８（Ａ）は、食物２０が配置されていない状態を示し、図７（Ｂ）及び図８（Ｂ）は、食物２０が配置されている状態を示している。第５実施形態では、食物保持部が、ヘッド部４ではなくハンドル部２に形成されている。すなわち、ハンドル部２の毛束５側の表面に、食物保持部として１つの凹部１０が形成されている。
【００２１】
図９は、本発明の第６実施形態による歯ブラシ１の縦断面図である。図９（Ａ）は、食物２０が配置されていない状態を示し、図９（Ｂ）は、食物２０が配置されている状態を示している。第６実施形態では、第５実施形態と同様に、食物保持部が、ヘッド部４ではなくハンドル部２に形成されている。すなわち、ハンドル部２に、食物保持部として１つの貫通孔１１が形成されている。
【００２２】
第１実施形態から第４実施形態による歯ブラシ１では、歯磨きのときに食物２０が必ずペットの口腔内に入るため、ペットが食べてしまい、歯磨きの途中で食物２０が無くなる可能性がある。食物２０が無くなると、ペットが歯磨きに対して抵抗を示す虞がある。第５実施形態及び第６実施形態では、食物保持部が毛束５から離間していることから、歯磨きのときに食物２０はペットの口腔内に入らない。そのため、食物２０は無くならないものの、ペットの目の前にハンドル部２に配置された食物２０があることから、食物２０のにおいが食欲をそそり、歯磨きが終わったら食物２０が食べられるという期待感をペットに与えることができ、歯磨きを完了させることができる。なお、ハンドル部２に、食物保持部として、複数の凹部又は貫通孔を形成してもよい。
【００２３】
上述した実施形態では、食物保持部は、１つ又は複数の凹部又は貫通孔であったが、食物を保持できる限りにおいて任意の形状又は構造を採用しうる。例えば、食物保持部を１つ又は複数の凸部としてもよい。この場合、食物を引っかけるか又は穿通等することによって、食物を食物保持部に保持することができる。また、上述した実施形態では、食物保持部が、毛束の設けられたブラシ本体の部分の反対側の部分又はハンドル部に形成されていたが、毛束の部分以外のブラシ本体の任意の箇所に、食物保持部を形成してもよい。また、上述した実施形態では、毛束はブラシ本体に形成された平面に設けられていたが、毛束をその他の態様、例えば、円柱状の部分の外周面に放射状に設けられた態様であってもよい。すなわち、ほぼすべての形状及び構造の歯ブラシに対して、凹部又は貫通孔のような簡単な構造で食物保持部を設けることができ、上述したような顕著な効果を得ることができる。上述した実施形態では、食物は、歯ブラシを購入した使用者によって歯ブラシに配置されるが、予め食物が配置された状態で、歯ブラシを製造及び販売するようにしてもよい。
【００２４】
なお、本発明の実施形態について、ペット用の歯ブラシを用いて説明したが、本発明を幼児等の人間用の歯ブラシに適用してもよい。また、本発明の実施形態について、手動で歯磨きを行うための歯ブラシを用いて説明したが、本発明を電動歯ブラシに適用してもよい。
【符号の説明】
【００２５】
１    歯ブラシ
２    ハンドル部
３    ネック部
４    ヘッド部
５    毛束
６    凹部
２０    食物
【図１】
2020089437.tif 000003
【図２】
2020089437.tif 000004
【図３】
2020089437.tif 000005
【図４】
2020089437.tif 000006
【図５】
2020089437.tif 000007
【図６】
2020089437.tif 000008
【図７】
2020089437.tif 000009
【図８】
2020089437.tif 000010
【図９】
2020089437.tif 000011